【手続補正書】
【提出日】平成17年3月18日(2005.3.18)
【手続補正１】
【補正対象書類名】明細書
【補正対象項目名】発明の名称
【補正方法】変更
【補正の内容】
【発明の名称】符号化装置および方法、復号装置および方法、並びにプログラム
【手続補正２】
【補正対象書類名】明細書
【補正対象項目名】特許請求の範囲
【補正方法】変更
【補正の内容】
【特許請求の範囲】
【請求項１】
ランダムアクセスが行われる際に参照されるランダムアクセスポイントヘッダを生成する生成手段と、
前記生成手段により生成された前記ランダムアクセスポイントヘッダと、入力された画像信号をそれぞれ符号化する符号化手段と、
前記符号化手段により符号化された前記ランダムアクセスポイントヘッダと前記画像信号を多重化し、ビットストリームを出力する出力手段と
を含み、
前記生成手段は、ランダムアクセスが開始されるポイントが、イントラピクチャであるか、イントラスライスであるか、または、その他であるかを示すデータを少なくとも含む前記ランダムアクセスポイントヘッダを生成する
ことを特徴とする符号化装置。
【請求項２】
ランダムアクセスが行われる際に参照されるランダムアクセスポイントヘッダを生成する生成ステップと、
前記生成ステップの処理で生成された前記ランダムアクセスポイントヘッダと、入力された画像信号をそれぞれ符号化する符号化ステップと、
前記符号化ステップの処理で符号化された前記ランダムアクセスポイントヘッダと前記画像信号を多重化し、ビットストリームの出力を制御する出力制御ステップと
を含み、
前記生成ステップは、ランダムアクセスが開始されるポイントが、イントラピクチャであるか、イントラスライスであるか、または、その他であるかを示すデータを少なくとも含む前記ランダムアクセスポイントヘッダを生成する
ことを特徴とする符号化方法。
【請求項３】
ランダムアクセスが行われる際に参照されるランダムアクセスポイントヘッダを生成する生成ステップと、
前記生成ステップの処理で生成された前記ランダムアクセスポイントヘッダと、入力された画像信号をそれぞれ符号化する符号化ステップと、
前記符号化ステップの処理で符号化された前記ランダムアクセスポイントヘッダと前記画像信号を多重化し、ビットストリームの出力を制御する出力制御ステップと
を含む処理をコンピュータに実行させ、
前記生成ステップは、ランダムアクセスが開始されるポイントが、イントラピクチャであるか、イントラスライスであるか、または、その他であるかを示すデータを少なくとも含む前記ランダムアクセスポイントヘッダを生成する
ことを特徴とするプログラム。
【請求項４】
ビットストリームを入力する入力手段と、
ランダムアクセスが指示された場合、前記入力手段により入力された前記ビットストリームに含まれる、ランダムアクセスに関する情報が含まれているランダムアクセスポイントヘッダを検索する検索手段と、
前記検索手段により検索された前記ランダムアクセスポイントヘッダに含まれる前記情報を参照してランダムアクセスを制御する制御手段と
を含み、
前記ランダムアクセスポイントヘッダは、ランダムアクセスが開始されるポイントが、イントラピクチャであるか、イントラスライスであるか、または、その他であるかを示すデータを少なくとも含んでいる
ことを特徴とする復号装置。
【請求項５】
ランダムアクセスが指示された場合、入力されたビットストリームに含まれる、ランダムアクセスに関する情報が含まれているランダムアクセスポイントヘッダを検索する検索ステップと、
前記検索ステップの処理で検索された前記ランダムアクセスポイントヘッダに含まれる前記情報を参照してランダムアクセスを制御する制御ステップと
を含み、
前記ランダムアクセスポイントヘッダは、ランダムアクセスが開始されるポイントが、イントラピクチャであるか、イントラスライスであるか、または、その他であるかを示すデータを少なくとも含んでいる
ことを特徴とする復号方法。
【請求項６】
ランダムアクセスが指示された場合、入力されたビットストリームに含まれる、ランダムアクセスに関する情報が含まれているランダムアクセスポイントヘッダを検索する検索ステップと、
前記検索ステップの処理で検索された前記ランダムアクセスポイントヘッダに含まれる前記情報を参照してランダムアクセスを制御する制御ステップと
を含む処理をコンピュータに実行させ、
前記ランダムアクセスポイントヘッダは、ランダムアクセスが開始されるポイントが、イントラピクチャであるか、イントラスライスであるか、または、その他であるかを示すデータを少なくとも含んでいる
ことを特徴とするプログラム。
【請求項７】
ランダムアクセスが行われる際に参照されるランダムアクセスポイントヘッダを生成する生成手段と、
前記生成手段により生成された前記ランダムアクセスポイントヘッダと、入力された画像信号をそれぞれ符号化する符号化手段と、
前記符号化手段により符号化された前記ランダムアクセスポイントヘッダと前記画像信号を多重化し、ビットストリームを出力する出力手段と
を含み、
前記生成手段は、ランダムアクセスが開始されるポイントが、ピクチャの先頭と一致するか否かを示すフラグを少なくとも含む前記ランダムアクセスポイントヘッダを生成する
ことを特徴とする符号化装置。
【請求項８】
ランダムアクセスが行われる際に参照されるランダムアクセスポイントヘッダを生成する生成ステップと、
前記生成ステップの処理で生成された前記ランダムアクセスポイントヘッダと、入力された画像信号をそれぞれ符号化する符号化ステップと、
前記符号化ステップの処理で符号化された前記ランダムアクセスポイントヘッダと前記画像信号を多重化し、ビットストリームの出力を制御する出力制御ステップと
を含み、
前記生成ステップは、ランダムアクセスが開始されるポイントが、ピクチャの先頭と一致するか否かを示すフラグを少なくとも含む前記ランダムアクセスポイントヘッダを生成する
ことを特徴とする符号化方法。
【請求項９】
ランダムアクセスが行われる際に参照されるランダムアクセスポイントヘッダを生成する生成ステップと、
前記生成ステップの処理で生成された前記ランダムアクセスポイントヘッダと、入力された画像信号をそれぞれ符号化する符号化ステップと、
前記符号化ステップの処理で符号化された前記ランダムアクセスポイントヘッダと前記画像信号を多重化し、ビットストリームの出力を制御する出力制御ステップと
を含む処理をコンピュータに実行させ、
前記生成ステップは、ランダムアクセスが開始されるポイントが、ピクチャの先頭と一致するか否かを示すフラグを少なくとも含む前記ランダムアクセスポイントヘッダを生成する
ことを特徴とするプログラム。
【請求項１０】
ビットストリームを入力する入力手段と、
ランダムアクセスが指示された場合、前記入力手段により入力された前記ビットストリームに含まれる、ランダムアクセスに関する情報が含まれているランダムアクセスポイントヘッダを検索する検索手段と、
前記検索手段により検索された前記ランダムアクセスポイントヘッダに含まれる前記情報を参照してランダムアクセスを制御する制御手段と
を含み、
前記ランダムアクセスポイントヘッダは、ランダムアクセスが開始されるポイントが、ピクチャの先頭と一致するか否かを示すフラグを少なくとも含んでいる
ことを特徴とする復号装置。
【請求項１１】
ランダムアクセスが指示された場合、入力されたビットストリームに含まれる、ランダムアクセスに関する情報が含まれているランダムアクセスポイントヘッダを検索する検索ステップと、
前記検索ステップの処理で検索された前記ランダムアクセスポイントヘッダに含まれる前記情報を参照してランダムアクセスを制御する制御ステップと
を含み、
前記ランダムアクセスポイントヘッダは、ランダムアクセスが開始されるポイントが、ピクチャの先頭と一致するか否かを示すフラグを少なくとも含んでいる
ことを特徴とする復号方法。
【請求項１２】
ランダムアクセスが指示された場合、入力されたビットストリームに含まれる、ランダムアクセスに関する情報が含まれているランダムアクセスポイントヘッダを検索する検索ステップと、
前記検索ステップの処理で検索された前記ランダムアクセスポイントヘッダに含まれる前記情報を参照してランダムアクセスを制御する制御ステップと
を含む処理をコンピュータに実行させ、
前記ランダムアクセスポイントヘッダは、ランダムアクセスが開始されるポイントが、ピクチャの先頭と一致するか否かを示すフラグを少なくとも含んでいる
ことを特徴とするプログラム。
【手続補正３】
【補正対象書類名】明細書
【補正対象項目名】０００１
【補正方法】変更
【補正の内容】
【０００１】
【発明の属する技術分野】
本発明は符号化装置および方法、復号装置および方法、並びにプログラムに関し、特に、離散コサイン変換若しくはカルーネン・レーベ変換等の直交変換と動き補償によって圧縮された画像情報（ビットストリーム）を、衛星放送、ケーブルテレビジョン放送、インターネットなどのネットワークメディアを介して送受信する際に、若しくは光ディスク、磁気ディスク、フラッシュメモリのような記憶メディア上で処理する際に用いて好適な符号化装置および方法、復号装置および方法、並びにプログラムに関する。
【手続補正４】
【補正対象書類名】明細書
【補正対象項目名】００５３
【補正方法】削除
【補正の内容】
【手続補正５】
【補正対象書類名】明細書
【補正対象項目名】００５７
【補正方法】削除
【補正の内容】
【手続補正６】
【補正対象書類名】明細書
【補正対象項目名】００６１
【補正方法】削除
【補正の内容】
【手続補正７】
【補正対象書類名】明細書
【補正対象項目名】００６５
【補正方法】削除
【補正の内容】